(57)【要約】【課題】レンズ内部にアクチュエータを有するレンズを、シネマ撮影用等の撮影で用いる場合、広い操作回転角で精緻なレンズ操作を行う事が出来ない。【解決手段】レンズと撮像装置との間に介在されて装着可能な筺体で、複数の操作環を有し、操作環によるレンズ駆動部の各種操作時の制御を行う為の通信／演算部を有し、演算補正されたレンズ固有情報を外部装置に出力する通信手段を構成する。【選択図】図１
2017215408.tif 000002
【特許請求の範囲】
【請求項１】
撮像装置に装着するマウント部と、
電気的に駆動されるアクチュエータを内包したレンズを装着できるレンズマウント部と、
レンズ制御部との通信手段と、
手動操作が可能な複数の操作手段とを有し、
操作手段の操作によって装着されたレンズの駆動制御が為されることを特徴とするレンズアクセサリー装置。
【請求項２】
外部接続される表示装置との通信手段を有し、レンズの光学仕様情報を出力することを特徴とする請求項１に記載のレンズアクセサリー装置。
【請求項３】
操作手段には外部駆動に用いられる駆動手段との連結手段が配されていることを特徴とする請求項１又は請求項２に記載のレンズアクセサリー装置。
【請求項４】
複数の操作手段は、フォーカス操作、絞り操作が行えることを特徴とする請求項１乃至請求項３の何れか一項に記載のレンズアクセサリー装置。
【請求項５】
複数の操作手段は、フォーカス操作、ズーム操作、絞り操作が行えることを特徴とする請求項１乃至請求項３の何れか一項に記載のレンズアクセサリー装置。
【請求項６】
装着されるレンズの焦点距離や絞り値の光学仕様を、任意に変更する為の光学系を着脱可能であることを特徴とする請求項１乃至請求項５の何れか一項に記載のレンズアクセサリー装置。
【発明の詳細な説明】
【技術分野】
【０００１】
本発明は、内部に少なくとも一つ以上のレンズ駆動用のアクチュエータを有するレンズと撮像装置との間に装着される、レンズアクセサリー装置に関する。
【背景技術】
【０００２】
内部に駆動アクチュエータを有するレンズでは、通常、撮影者がレンズの焦点調整や絞り値の調整は補助的に行う事が多く、撮像装置から制御されるオートフォーカスや自動露出に従う絞り値調整が為される事が一般的である。
【０００３】
しかし、撮影者の撮影状況によって、例えば映画撮影などに代表される、細やかな焦点調整や絞り調整を必要とする撮影を行おうとする場合、レンズや撮像装置に設けられている操作環で要求される操作精度の不足が生じる。
【０００４】
また、レンズ上には焦点調整、或いは変倍操作を手動で行う為の操作環が配される事はあっても、絞り操作を行う操作環が配されない事が一般的であった。
【０００５】
このように絞り操作がレンズ単体で行えない場合の解消法として、レンズと撮像装置との間に絞り操作環を配した中間リング装置が提唱されている（特許文献１参照）。
【先行技術文献】
【特許文献】
【０００６】
【特許文献１】特開２００３−５７７４２号公報
【発明の概要】
【発明が解決しようとする課題】
【０００７】
特許文献１で提唱されている中間リングの構造では、装着されるレンズが絞り操作部材が付帯されたレンズとの使用感を同一にする意図で構成されている為、例えば映画撮影のような撮影に特化した機材の一つとして扱う場合には、以下のような課題が存在する。
【０００８】
映画撮影では一つの操作環の操作回転角度が大きく、微小な操作に拠る精密なレンズ操作を常とする為、使用するレンズに設けられた操作環や、増設された操作環では撮影者の望む回転角では不足していた。
【０００９】
またレンズ上の操作部材を直接、遠隔操作する為の外部操作装置を用いる場合が有るが、予め定まった撮影距離や絞り値等に復帰操作を行う際には、再取り付けが困難なギア等の連結部材を締付け固定する事が一般的である為、装着利便性に欠けていた。
【００１０】
このように、特許文献１で提唱されている構造では、レンズを含めた撮像装置に装着される様々な機材への対処が出来ない課題があった。
【００１１】
本発明は、上述の課題解決の一手段として提唱されるもので、映画機材に特化して構成されたレンズではなくとも、撮影に求められる様々な操作性を満足するレンズアクセサリー装置を提供することを目的とする。
【課題を解決するための手段】
【００１２】
上記の目的を達成する為に、請求項１に係るレンズアクセサリー装置は、
撮像装置に装着するマウント部と、
電気的に駆動されるレンズを装着できるレンズマウント部と、
レンズ制御部との通信手段と、
手動操作が可能な複数の操作手段と、
を具備し、
操作手段の操作によって装着されたレンズの駆動制御が為されることを特徴とする。
【００１３】
請求項２に係るレンズアクセサリー装置は、
請求項１に記載のレンズアクセサリー装置において、外部接続される表示装置との通信手段を有し、レンズの光学仕様情報を出力することを特徴とする。
【００１４】
請求項３に係るレンズアクセサリー装置は、
請求項1又は請求項２に記載のレンズアクセサリー装置において、
操作手段には外部駆動に用いられる駆動手段との連結手段が配されていることを特徴とする。
【００１５】
請求項４に係るレンズアクセサリー装置は、
請求項１乃至請求項３の何れか一項に記載のレンズアクセサリー装置において、
複数の操作手段は、フォーカス操作、絞り操作が行えることを特徴とする。
【００１６】
請求項５に係るレンズアクセサリー装置は、
請求項１乃至請求項３の何れか一項に記載のレンズアクセサリー装置において、
複数の操作手段は、フォーカス操作、ズーム操作、絞り操作が行えることを特徴とする。
【００１７】
請求項６に係るレンズアクセサリー装置は、
請求項１乃至請求項５の何れか一項に記載のレンズアクセサリー装置において、
装着されるレンズの焦点距離や絞り値等の光学仕様を、任意に変更する為の光学系を着脱可能であることを特徴とする。
【発明の効果】
【００１８】
本発明に係るレンズアクセサリー装置に拠れば、内部に少なくとも一つ以上のレンズ駆動用のアクチュエータを有するレンズでも、映画撮影などで用いられる広い回転角の操作環を用いた手動撮影を行う事を可能とする。加えて遠隔操作撮影や、レンズ固有情報の外部出力や確認を行う事が可能となり、使用者の利便性を高める効果がある。
【図面の簡単な説明】
【００１９】
【図１】本発明の第一の実施例であるレンズアクセサリー装置の概略構造図
【図２】第一の実施例におけるレンズアクセサリー装置のＡ視図
【図３】第一の実施例におけるレンズアクセサリー装置の後方斜視図
【図４】第一の実施例におけるレンズアクセサリー装置の前方斜視図
【図５】本発明の第二の実施例であるレンズアクセサリー装置の概略構造図
【発明を実施するための形態】
【００２０】
以下に、本発明の好ましい実施の形態を、添付の図面に基づいて詳細に説明する。
【００２１】
図１は本発明の実施形態にかかわるレンズアクセサリーの構造説明図である。図２は上記変倍群をレンズ側から見た図１中のＡ視図である。図３は撮像装置側からみた視図である。図４は本発明のレンズアクセサリー装置の斜視図である。
【実施例１】
【００２２】
図１に示すように、１は撮像装置に装着する為の第一のマウント、２は所定のレンズを装着する為の第二のマウントである。
【００２３】
３はアクセサリー本体、４は第一の操作部材、５は第二の操作部材、６は第一の操作部材の変位検出手段、７は第二の操作部材の変位検出手段、８は演算手段、９は第一の操作部材に付設の第一の連結手段、１０は第二の操作部材に付設の第二の連結手段である。
【００２４】
また図２に示すように、１１は不図示の所定のレンズに付設された電気的な接続手段との通信を成す通信手段である。
【００２５】
更に図３には、該第一のマウントの一部に付設され、撮像装置からの給電や通信を成す接点部材１２を示す。
【００２６】
上図の通り本提案におけるレンズアクセサリー装置では、該第一のマウントが不図示の撮像装置に装着された段階で、撮像装置には第一、第二の二つの操作部材４，５が構成される事となる。
【００２７】
該第一の操作部材４や第二の操作部材５は撮影者が手動操作する時に好適な操作力で作動する様に、所定のグリスなどの粘性材が摺動部に塗布されている。また、それぞれの回転角も装着対象のレンズ構造に比較して数倍の角度を有しており、装着されるレンズに対して、微小な操作回転量を拡大して操作する事が可能となっている。
【００２８】
また、該第一、第二の操作部材４，５にはそれぞれ、第一、第二の連結手段９，１０が敷設され、映画撮影などで一般的な遠隔操作による撮影を行う際の、外部駆動装置の駆動力伝達を可能としている。
【００２９】
本発明で提唱するレンズアクセサリー装置では、装着対象のレンズはレンズの焦点調整や絞り調整の駆動アクチュエータを内包するレンズを対象としている。
【００３０】
こうしたレンズでは、駆動アクチュエータの電源供給手段はレンズのマウント部に配される事が一般的であり、本提案のレンズアクセサリー装置では該通信手段１１により、レンズアクセサリー装置とレンズの通信が確保されている。
【００３１】
該通信手段１１を通して装着されたレンズからもたらされる焦点情報、絞り情報などの情報は、該演算手段８に配される。
【００３２】
該第一、第二の操作手段４，５の内部には、各々の回転操作角に応じた変位検出を行う第一、第二の変位検出手段６，７が敷設されている。
【００３３】
装着されたレンズの焦点調整に要する駆動量は、本アクセサリー装置の操作手段によって、装着されるレンズの操作手段の回転角より増加する分、操作回転角あたりの分解能を増幅する。
【００３４】
該演算手段８は該第一、第二の操作手段４，５の操作角に応じて装着レンズの駆動制御量を微細に制御する信号を生成し、装着されたレンズの焦点調整や絞り制御等の所定の制御信号を送り返す。
【００３５】
一方、該演算手段８は、本レンズアクセサリー装置で装着されるレンズの制御に用いた演算結果に応じて、該接点部材１２を通して撮像装置に補正された焦点情報や絞り値の情報を送り返す。
【００３６】
通常、撮像装置と本レンズアクセサリー装置に装着されるレンズが直接組み合わさり運用される際には、レンズに内包されたアクチュエータの駆動制御信号を生成する演算手段が撮像装置本体側である事が一般的である。
【００３７】
しかし、本レンズアクセサリー装置が装着される状況において、撮像装置側から装着されるレンズに制御信号に優先して該操作部材４，５での操作が行われる。その為、該接点部材１２からは撮像装置側からの制御信号は予めカットする、或いは制御信号を受けても該演算手段８内で処理し、装着されるレンズ側への制御信号として用いない。
【００３８】
例えばズームレンズのズーム操作が電動で行われる等、操作部材が更に必要と成る場合がある。そうした際には図４に示すように、操作部材１３を追加する事も可能な構造を取る事も拡張して可能としている。該操作部材１３は、所定の方向の回転操作により、任意のズーム方向の操作を為すズーム制御信号が、該演算手段８から装着されるレンズに出される。
【００３９】
勿論、回転操作量に応じた速度可変や所定の変位に応じた位置制御等、一般的に行われるズーム操作にも対応する事は容易である。
【００４０】
以上説明したように、該第一、第二の操作手段を有する構造では、装着されるレンズ自体の焦点、絞り調整の送り精度の分解能を増加させる事が可能となり、非常に精細な調整に応じた送り精度に拠る手動操作を可能としている。
【００４１】
また、該操作手段に付設された連結手段により、電動に拠る遠隔操作においても、同様な精細な調整を行う事を可能としている。
【００４２】
上述の実施例に拠れば、本構造を有することで物理的に焦点位置が遠ざかる構成となる。しかし、撮像装置に送りだす信号に固有の情報を与えることにより、本アクセサリーが装着された分の焦点位置ズレ量に応じて、撮像装置の撮像素子焦点面を位置調整駆動させる構成とすることで、装着レンズの仕様を変ずることなく、操作性の向上を図る事が出来る。
【００４３】
更に該操作手段に付設される連結手段の位置は撮像装置から一定である為、装着対象となるレンズが交換する際に電動操作の為に付設した外部操作手段一切を取り外すことなく交換が行え、撮影に要する時間を大幅に短縮する効果を発揮する。
【実施例２】
【００４４】
以下図５を参照して、本発明の第２の実施例によるレンズアクセサリー装置について、実施例１と同一の構成内容に関しては同一の番号を用いて説明する。
【００４５】
図５に示すように、１４は装着されるレンズと撮像装置との焦点位置が、本レンズアクセサリー装置の厚み分積み重なる事により変化する分、所定の焦点距離補正を成す光学系を有する光学ユニットである。
【００４６】
また１５は任意の光学ユニットと本レンズアクセサリー装置との検出手段である。
１６は本レンズアクセサリー装置と不図示の一般の外部表示装置との接続を成す通信手段である。
【００４７】
上図の通り本提案におけるレンズアクセサリー装置では、該光学ユニット１４は、複数任意の光学ユニットとして互換可能な構成を取っている。
【００４８】
光学ユニットは装着対象のレンズの焦点距離を延ばす拡大光学系や、対象とする撮像素子のサイズを変更することで、見掛け上の絞り開放値を変更しないデフューザーの光学系等、撮影目的に応じた光学系が用意される。
【００４９】
撮影者は撮影状況に応じて光学系のユニットを選択式に本レンズアクセサリー装置に装着するが、その際に該検出手段１５によって、装着されるレンズが光学的に補正されうる情報が該演算手段８に送られる。
【００５０】
該演算手段８は、該光学系ユニット１４からの情報に応じて該第一、第二の操作手段４，５の回転角の分解能に補正を行い、該操作手段の操作回転角に応じて装着されるレンズの駆動制御様の信号を生成し、出力する。
【００５１】
この時、装着されるレンズの持つレンズ仕様が該光学ユニット１４との組み合わせに応じて補正された時、相対的に操作手段の回転角と駆動量も変化する為、機械的に駆動される該操作手段４，５の環上に特定の目盛や指標を配しても、ずれが生じてしまう。
【００５２】
該通信手段１６は、該演算手段８が該光学ユニット１４の有無により装着対象のレンズの光学仕様の値を適宜補正した演算結果を、不図示の外部表示装置に出力する。
外部表示装置には本レンズアクセサリー装置による装着対象レンズの光学仕様を逐次、表示させる事を可能としている。
【００５３】
以上説明したように、該任意の光学補正を成す光学ユニットを着脱可能とする構造では、装着されるレンズ自体の焦点、絞り調整の送り精度の分解能を増加補正させる事が可能となり、装着されたレンズの光学仕様を補正した値に基づいた、手動・電動操作を可能とする。
【００５４】
また外部表示装置との通信手段も具備することにより、補正された光学仕様を撮影者が把握しながら撮影操作を行う事を可能としている。
【００５５】
上述の実施例に拠れば、本構造を有することで装着対象レンズの光学仕様を任意に変じて活用できるだけでなく、装着レンズの仕様が補正された量を正確に把握しながら本レンズアクセサリー装置の操作を行う為の外部表示装置が使用出来、操作性の向上を図る事が出来る。
【００５６】
以上、本発明の好ましい実施形態について説明したが、本発明はこれらの実施形態に限定されず、その要旨の範囲内で種々の変形及び変更が可能である。
【００５７】
映像機器製品におけるレンズアクセサリー装置として利用される。
【符号の説明】
【００５８】
１  第一のマウント、２  第二のマウント、３  アクセサリー本体、
４  第一の操作部材、５  第二の操作部材６，７  変位検出手段、８  演算手段、
９，１０  連結手段、１１  通信手段、１２  接点部材、１３  操作部材、
１４  光学ユニット、１５  レンズ検出手段、１６  通信手段
【図１】
2017215408.tif 000003
【図２】
2017215408.tif 000004
【図３】
2017215408.tif 000005
【図４】
2017215408.tif 000006
【図５】
2017215408.tif 000007